(57)【要約】【課題】駅の防護柵に用いるなど、昼間での室外での使用も可能な従来にない新しいタイプの表示装置を提供する。【解決手段】側面の所定部位に光射出部２１を設けてなり、端面２２、２３から入射した光を前記光射出部２１から射出可能に構成した光ファイバ２と、光を透過可能な板状をなす光透過体３と、前記光ファイバ２の端面２２、２３に向かって光を射出する発光体と、前記光透過体３の面板方向に沿って前記光ファイバ２を保持する保持機構５とを備え、前記発光体から光ファイバ２の端面２２、２３に導入され前記光射出部２１から外方に射出された光が所定の意味をなして視認できるように構成した。【選択図】図１
2004191431.tif 000002
【特許請求の範囲】
【請求項１】
側面の所定部位に光射出部を設けてなり、端面から入射した光を前記光射出部から射出可能に構成した光ファイバと、光を透過可能な板状をなす光透過体と、前記光ファイバの端面に向かって光を射出する発光体と、前記光ファイバを前記光透過体の面板方向に沿わせて保持する保持機構とを備え、前記発光体から光ファイバの端面に導入され前記光射出部から外方に射出された光が所定の意味をなすものとして視認できるように構成していることを特徴とする表示装置。
【請求項２】
一対の発光体により光ファイバの各端面からそれぞれ光を導入している請求項１記載の表示装置。
【請求項３】
前記光透過体が、一対の透明板を具備するものであり、前記保持機構が、それら透明板の間に光ファイバを挟み込んで固定する構成のものである請求項１又は２記載の表示装置。
【請求項４】
前記保持機構が、前記透明板間に充填した透明材により前記面板方向に沿った光ファイバの動きを規制するものである請求項３記載の情報処理装置。
【請求項５】
前記光透過体の周囲に配設した枠体をさらに具備し、その枠体に発光体及び光ファイバの端部を保持させている請求項１、２、３又は４記載の表示装置。
【請求項６】
対向する枠体に光ファイバの各端部を位置させている請求項５記載の表示装置。
【請求項７】
前記光透過体のいずれか一の辺に位置する枠体に光ファイバの各端部を位置させている請求項５記載の表示装置。
【請求項８】
光ファイバの側面に切り込みを形成し、その切り込みで光を反射させてその反対側の側面から光を射出させ、当該反対側の側面を前記光射出部としている請求項１、２、３、４、５、６又は７記載の表示装置。
【請求項９】
光ファイバを屈曲させ又は捩り、その部分を前記光射出部としている請求項１、２、３、４、５、６又は７記載の表示装置。
【請求項１０】
駅等で用いられる防護柵や窓、扉等の仕切装置を構成するものである請求項１、２、３、４、５、６、７、８又は９記載の表示装置。
【発明の詳細な説明】
【０００１】
【発明の属する技術分野】
本発明は、駅の防護柵や扉などに種々の表示をするための表示装置に関するものである。
【０００２】
【従来の技術】
従来、扉や窓などに嵌め込まれた透明なガラス板部分に何らかの表示をさせるには、例えばガラス板部分に刻印をしたり、さらに特許文献１に示されるように、それを浮き出させるために、枠等の側方からガラス板の内部に照明光を導入し、刻印部分で光を反射させたりする方法がとられている。
【特許文献１】
特開平０５−１１２１００号公報
【０００３】
【発明が解決しようとする課題】
しかしながら、表示させるための媒体がガラス板等の透明又は半透明のものである場合、そこに刻印しても光の加減によってはその表示が非常に見難くなる。また、見やすくすべく刻印を大きくしてしまうと、そもそもガラス板を入れて向こう側を透けて見せるという目的が達成できなくなる。さらに、枠から光を当ててガラス板の刻印を反射させ浮き出させるという方法も装飾照明等の分野では行われているが、光量が小さく、例えば室外で昼間に使用する用途では、あまり効果を期待できない。
【０００４】
そこで本発明は、近時、２００ｍＡ〜３００ｍＡ以上の電流を継続的に流すことの可能な超高輝度のパワーＬＥＤと称される発光体が開発されていることに着目し、透明な光ファイバを前記ガラス板等の板状光透過体の面板方向に沿わせて配置するとともに、その光ファイバに前記パワーＬＥＤ等の発光体から出る光を導入して側面発光させるようにしたものであって、前記光透過体の透明度を損なうことなく、必要に応じてその光透過体に非常に見やすい所定の表示が現れるようにし、駅の防護柵に用いるなど、昼間での室外での使用も可能な従来にない新しいタイプの表示装置を提供することをその主たる課題としたものである。
【０００５】
【課題を解決するための手段】
すなわち本発明に係る表示装置は、側面の所定部位に光射出部を設けてなり、端面から入射した光を前記光射出部から射出可能に構成した光ファイバと、光を透過可能な板状をなす光透過体と、前記光ファイバの端面に向かって光を射出する発光体と、前記光ファイバを前記光透過体の面板方向に沿わせて保持する保持機構とを備え、前記発光体から光ファイバの端面に導入され前記光射出部から外方に射出された光が所定の意味をなすものとして視認できるように構成していることを特徴とするものである。
【０００６】
このようなものであれば、例えば発光体に２００ｍＡ〜３００ｍＡ以上の電流を継続的に流すことの可能な超高輝度のパワーＬＥＤを用いることにより、ガラス板等を利用した光透過体に、その透明度を損なうことなく、昼間でも明るく発光し見やすい表示を非常に簡単な構成で現わすことが可能になる。そして、鉄道車両の扉や駅の防護柵など、透けて向こうが見えることが必要であって、なおかつ警告等の表示をすることが好ましいものに、かかる表示装置を適用して顕著な効果を得ることができるようになる。また、複数の光ファイバ及び発光体を用い、選択的に発光体を光らせることにより、このような光透過体に静的な表示のみならず、動的な表示を現わすことも可能となる。ここで光透過体とは透明なもののことであり、本明細書おいて「透明」とは半透明のものを含み、さらに無色のみならず、有色のものも含むものとする。
【０００７】
前記光射出部のうち、光ファイバの端面から遠いものは近いものに比べ輝度が小さくなるため、光ファイバが長さには限界があるが、その光ファイバの長さをできるだけ長くできるようにし、本発明の応用可能性をより高めるには、一対の発光体により光ファイバの各端面からそれぞれ光を導入しているものが好ましい。
【０００８】
車両の扉や駅の防護柵等は、光透過体として一対の透明板によって構成しているものがあるが、かかる構成を利用して本発明を簡単に実現するためには、前記保持機構がそれら透明板の間に光ファイバを挟み込んで固定するものであることが好ましい。
【０００９】
さらにその場合、前記透明板間に充填した透明材により前記面板方向に沿った光ファイバの動きを規制するようにしておけば、透明材が透明板間のスペーサや割れによる破片拡散防止の役割も兼ねるため、例えば扉や防護柵に本発明を適用した場合に大きな効果を得ることができる。
【００１０】
発光体や光ファイバ端部を外観に無理なく好適に保持するためには、前記光透過体の周囲に枠体を配設し、その枠体に発光体及び光ファイバの端部を保持させているものがよい。
【００１１】
具体的な光ファイバの配置としては、例えば対向する枠体に光ファイバの各端部を位置させているものや、前記光透過体のいずれか一の辺に位置する枠体に光ファイバの各端部を位置させているものを挙げることができる。
【００１２】
光射出部の具体的実施態様としては、光ファイバの側面に切り込みを形成し、その切り込みで光を反射させてその反対側の側面から光を射出させ、当該反対側の側面を前記光射出部としているものや、光ファイバを屈曲させ又は捩りその部分を前記光射出部としているものを挙げることができる。
【００１３】
本発明に係る表示装置の顕著な効果を奏する適用例としては、駅等で用いられる防護柵や窓、扉等の仕切装置を構成するものを挙げることができる。
【００１４】
【発明の実施の形態】
以下に本発明の一実施形態について図面を参照して説明する。
【００１５】
本実施形態に係る表示装置１は、例えば新幹線の駅のプラットホーム等に設けられた防護柵に利用されるものであって、図１に概略を示すように、複数の光ファイバ２と、光を透過可能な矩形板状をなす光透過体３と、この光透過体３の周囲に配設された枠体６１〜６４と、前記光ファイバ２の端面２２、２３に導入すべき光を射出する発光体たるＬＥＤ４と、前記光ファイバ２を前記光透過体３の面板方向に沿わせて保持する保持機構５とを備えてなる。
【００１６】
光ファイバ２は、図２、図３、図４に示すように、コア２ａとクラッド２ｂからなる可とう性を有した細線状のもので、その側面の所定部位には、光射出部２１が複数形成してある。具体的には、光ファイバ２の側面に例えばレーザ加工や機械加工によって切り込みＫを形成し、その切り込みＫで光を反射させてその反対側の側面から光を射出させ、当該反対側の側面を前記光射出部２１としている。前記切り込みＫは、光ファイバ２の軸線に直交するように断面略Ｖ字型に切り込んだもので、その深さがコア２ａに至るようにしたものである。そして光ファイバ２の端面２２、２３から導入され、コア２ａとクラッド２ｂの屈折率の相違により軸方向に内部を進む光のうち、この切り込みＫに当たったものが、そこで乱反射し、その反対側の側面たる光射出部２１から外部に漏れ出るようにしてある。このとき、光ファイバ２のレンズ効果によって切り込みＫで反射する光は集光する向きに屈折するため、外観すると切り込みＫから発される光は拡大して視認され、例えば光ファイバ２が径方向に亘って光っているように見えることとなる。
【００１７】
光透過体３は、図１、図５に示すように、矩形状をなす一対の無色透明板たるガラス板３１と、それらガラス板３１同士が所定距離離間するようにその間に充填してなる例えば樹脂製の無色透明材３２とを備えたものである。
【００１８】
枠体６１〜６４は、図１に示すように例えば金属や樹脂製の内部中空のものであり、前記光透過体３の周縁部をその表裏から覆い隠すように配設してある。
【００１９】
ＬＥＤ４は、例えば２００ｍＡ〜３００ｍＡ以上の電流を継続的に流すことの可能な超高輝度のパワーＬＥＤと称されるタイプのものである。
【００２０】
保持機構５は、図５に示すように、前記一対のガラス板３１とそれらの間に挟まれる透明材３２を利用して構成されるもので、前記一対のガラス板３１間に光ファイバ２を挟み込んでその面板方向と直交する方向の光ファイバ２の動きを規制するとともに、透明材３２により光ファイバ２の前記面板方向に沿った動きを規制することにより、この光ファイバ２を固定保持するものである。具体的には、例えばガラス板３１間に板状をなす透明材３２を間欠的に配設し、前記透明材３２とガラス板３１により囲繞される左右に貫通するファイバ挿通孔５ａ内に前記光ファイバ２が保持されるようにしてもよいし、図１１に示すように、まずガラス板３１間に光ファイバ２を配置しておき、その後ガラス板３１間に液状の透明材３２を充填し固化させるようにしても構わない。
【００２１】
本実施形態では、前記ファイバ挿通孔５ａを上下に複数設け、複数の光ファイバ２が上下に等間隔で平行に並ぶように構成している。しかして、光ファイバ２の各端部は左右の枠体６２、６３内に位置づけてあり、その端面２２、２３に臨む位置であって前記左右枠体６内にＬＥＤ４が配設してある。図１では、各光ファイバ２の各端面２２、２３に１つずつ、合計２つのＬＥＤ４が設けてある。
【００２２】
さらにこの表示装置１は、各ＬＥＤ４に電力を供給するとともにその点滅を制御する電源７を備え、その電源７は例えば図１に示すように、下枠体６４内に収容してある。そしてこの電源７からでた電力ケーブルＣＡが、枠体６内を通って前記各ＬＥＤ４に接続されている。
【００２３】
このように本実施形態では、左右に延びる光ファイバ２を上下に複数本並べ、光ファイバ２が光透過体３の内部所定領域に平行に配設されるようにしている。そして前記各光ファイバ２に設けた光射出部２１が、図５に示すように全て光透過体３の一の面を向くように構成するとともに、それら光射出部２１の形成位置を適宣設定することにより、ＬＥＤ４を点灯させて前記一の面から見た場合に、光射出部２１から外方に射出される光によって、図６の例えば「ＳＴＯＰ」というように、所定の意味を示すように構成している。
【００２４】
したがって、本実施形態によれば、光透過体３に、その透明度を損なうことなく、昼間でも明るく発光し見やすい表示を非常に簡単な構成で現わすことが可能になる。そして、駅の防護柵などのように屋外において昼間でも使用され、透けて向こうが見えることが必要なものに、警告等の表示をすることが無理なくできるようになる。特に本実施形態では発光体にパワーＬＥＤ４を用い、なおかつ光ファイバ２の両端面２２、２３から光を導入しているため、光射出部２１から発される光も強いものとなり、前記効果が顕著なものとなる。
【００２５】
なお、本発明は上記実施形態に限られるものではない。
【００２６】
例えば、図７に示すように、各光ファイバ２の略全体が側面発光するように、多数の切り込みＫ（光射出部２１）を設けてもよい。この場合、端面２２、２３から遠ざかるに連れ光は弱くなるため、ライン状に均一に光らせるためには、端面２２、２３付近において切り込みＫの形成密度を最も小さくし、そこから徐々に密度を大きくしていって端面２２、２３から最も遠い部分、すなわち中央部において切り込みＫの形成密度を最も高くなるようにしておくことが好ましい。
【００２７】
また、各光ファイバ２に導入する光の色をそれぞれ変えてもよい。例えば前述のようなライン状に光る光ファイバ２を用いるとともに、これらを、図８に示すように、青、赤、黄の三色のＬＥＤ４を用い、それらを交互に並べて選択的に切り替えて光らせるようにすれば、この表示装置１に信号のような役割を担わせることができる。なおこの図でＬＥＤ４はパワーＬＥＤと称されるもので、各色のパワーＬＥＤ４一つに対し、複数本の光ファイバ２を接続するようにしている。なお同図において符号ＣＳは１つのパワーＬＥＤ４を内蔵するケーシングである。その他、例えば、ＬＥＤ４の点灯を動的に行うことにより、表示を動的なものとすることもできる。
【００２８】
さらに、図９に示すように、前記光透過体３のいずれか一の辺に対応する枠体６３（６１、６２、６４）に光ファイバ２の各端部を位置させ、光ファイバ２をループ状に回し込むようにしてもよい。その場合のＬＥＤ４の位置は前記一の辺の枠体６３（６１、６２、６４）が好ましいが、ＬＥＤ４の位置を、光ファイバ２の端部の位置する枠体と別の枠体に設定し、ＬＥＤ４の位置にまで光ファイバ２を延長するようにしてもよい。
【００２９】
また図１０に示すように、切り込みＫの位置や大きさ、形状を各々で異ならせ、光射出部２１の態様を各々で異ならせて表示にバリエーションを与えるようにしてもよいし、切り込み以外に屈曲させたり捩ったりしてその部分を光射出部としてもよい。もちろん光ファイバを直線状に這わすのみならず湾曲するように保持しても構わない。光ファイバの片方の端面からのみ光を導入するようにしてもよい。
【００３０】
さらに光ファイバを透明接着剤でガラス板に固定してもよいのはもちろんである。
【００３１】
電源の位置も、前記防護柵のような固定物に適用するのであれば、枠体６やその近傍に設置すればよいが、例えば鉄道車両の引き戸式扉のように動くものであれば、電源を扉以外の所定部位に設置し、電力ケーブルを戸袋から電源に接続する構造としてもよい。
【００３２】
加えて、光透過体も前記実施形態とは異なり、一枚ものの透明板で構成してもよい。その場合例えば、表面に開口するファイバ保持溝を形成するなどして、そのファイバ保持溝に光ファイバを嵌入し保持すればよい。もちろん、本表示装置を防護柵や扉以外の仕切装置等に適用しても前記実施形態と同様の作用効果を奏し得る。
【００３３】
その他本発明は、上記図示例に限られず、その趣旨を逸脱しない範囲で種々の変更が可能である。
【００３４】
【発明の効果】
以上に詳述したように、本発明によれば、光透過体にその透明度を損なうことなく、昼間でも明るく発光し見やすい表示を非常に簡単な構成で現わすことが可能になる。そして、駅の防護柵などのように屋外において昼間でも使用され、透けて向こうが見えることが必要なものに警告等の表示をすることが、簡単な構成で無理なく実現できる。
【図面の簡単な説明】
【図１】本発明の一実施形態における表示装置の全体正面図。
【図２】同実施形態における光ファイバを軸に沿って切った断面図。
【図３】同実施形態における光ファイバを軸に直交する面で切った断面図。
【図４】同実施形態における光ファイバとＬＥＤを示す正面図。
【図５】同実施形態における表示装置の部分縦断面図。
【図６】同実施形態における表示装置の表示例を示す正面図。
【図７】本発明の他の実施形態における光ファイバとＬＥＤを示す正面図。
【図８】本発明のさらに他の実施形態における光ファイバとＬＥＤを示す部分正面図。
【図９】本発明のさらに他の実施形態における光ファイバとＬＥＤとの結合態様を示す結合態様図。
【図１０】本発明のさらに他の実施形態における表示装置の部分縦断面図。
【図１１】本発明のさらに他の実施形態における表示装置の部分縦断面図。
【符号の説明】
１・・・表示装置
２・・・光ファイバ
２１・・・光射出部（切り込み）
２２、２３・・・端面
３・・・光透過体
３１・・・透明板（ガラス板）
３２・・・透明材
４・・・発光体（パワーＬＥＤ）
５・・・保持機構
６・・・枠体
【図１】
2004191431.tif 000003
【図２】
2004191431.tif 000004
【図３】
2004191431.tif 000005
【図４】
2004191431.tif 000006
【図５】
2004191431.tif 000007
【図６】
2004191431.tif 000008
【図７】
2004191431.tif 000009
【図８】
2004191431.tif 000010
【図９】
2004191431.tif 000011
【図１０】
2004191431.tif 000012
【図１１】
2004191431.tif 000013